(57)【要約】【課題】個人・時間管理において、時刻情報の取得を容易とすると共に、ネットワークへのアクセスのセキュリティーを高め、情報報告の取得漏れを防止する。【解決手段】利用者に関する情報に基づいて種々の機能で行う個人管理や時間管理を、この機能管理を行うサーバが接続されるネットワークへのアクセスに基づいて行い、アクセス情報を利用することにより時刻情報の取得を容易とすると共に、複数のアクセス情報を用いて論理判断することによりネットワークへのアクセスのセキュリティーを高める。各種情報を所定の機能別に管理する機能管理サーバへのアクセスをガイドするメニューサーバを備え、このメニューサーバによりは利用者の端末のメニュー画面に情報報告のタイトル表示を行う。【特許請求の範囲】
【請求項１】
利用者の個人及び時間を管理する個人・時間管理方法において、
利用者に関する情報を所定の機能別に管理する機能管理サーバは、
当該機能管理サーバが管理する利用者の個人管理を、当該機能管理サーバが接続されるネットワークへのアクセス情報に基づいて行い、
当該機能管理サーバが含む利用者の時間管理を、当該機能管理サーバが接続されているネットワークへ利用者がアクセスするアクセス時刻に基づいて行うことを特徴とする、個人・時間管理方法。
【請求項２】
前記ネットワークへのアクセスは、ネットワークへの接続に係わるログイン又はログアウト、ネットワーク接続中における処理の開始又は終了、の少なくともいずれか１つであることを特徴とする、請求項１に記載の個人・時間管理方法。
【請求項３】
前記アクセス情報はネットワークへのアクセス時に行う認証情報であり、ネットワークへのアクセス時以外の個人認証情報との時間的な論理判断により個人管理を行うことを特徴とする、請求項１又は２に記載の個人・時間管理方法。
【請求項４】
前記個人認証情報は、ゲートの通過管理を行うゲート管理システムから取得することを特徴とする、請求項３に記載の個人・時間管理方法。
【請求項５】
前記個人認証情報は、ネットワークを介して入力される既認証者による認証情報であることを特徴とする、請求項３に記載の個人・時間管理方法。
【請求項６】
前記時間管理は、ログイン時刻と、ゲートの通過管理を行うゲート管理システムから取得するゲートイン時刻との論理判断により時間管理を行うことを特徴とする、請求項２に記載の個人・時間管理方法。
【請求項７】
前記機能管理サーバは、業務管理サーバ又は勤怠管理サーバの少なくともいずれか１つであることを特徴とする、請求項１乃至６のいずれかに記載の個人・時間管理方法。
【請求項８】
前記業務管理サーバは、前記ログイン時刻を業務開始時刻とし、前記ログアウト時刻を業務終了時刻とすることを特徴とする、請求項７に記載の個人・時間管理方法。
【請求項９】
前記業務管理サーバは、ログイン時刻に基づいて業務スケジュールを変更することを特徴とする、請求項７又は８に記載の個人・時間管理方法。
【請求項１０】
前記業務管理サーバは、ログアウト時刻に業務スケジュールの未処理がある場合に報知することを特徴とする、請求項７又は８に記載の個人・時間管理方法。
【請求項１１】
前記業務管理サーバは、ネットワーク接続中において、ネットワークを介して行う処理の開始時刻又は終了時刻の少なくともいずれか１つに基づいて業務の時間管理を行うことを特徴とする、請求項７に記載の個人・時間管理方法。
【請求項１２】
前記勤怠管理サーバは、前記ログイン時刻を業務開始時刻とし、前記ログアウト時刻を業務終了時刻として記録すると共に、
ログイン時刻とゲートの通過管理を行うゲート管理システムから取得するゲートイン時刻との論理判断、及び／又はログアウト時刻と前記ゲート管理システムから取得するゲートアウト時刻との論理判断により時間管理を行うことを特徴とする、請求項７に記載の個人・時間管理方法。
【請求項１３】
利用者に対する情報報告の管理方法において、
各種情報を所定の機能別に管理する機能管理サーバへアクセスするためのガイドを利用者の端末のメニュー画面に表示し、当該メニュー画面に少なくとも情報報告のタイトルを表示することを特徴とする情報報告管理方法。
【請求項１４】
前記情報報告は複数のグループに分類され、当該グループ毎にタイトル表示を行うことを特徴とする請求項１３に記載の情報報告管理方法。
【請求項１５】
前記タイトル表示は、情報報告の処理状態の表示を含むことを特徴とする請求項１３又は１４に記載の情報報告管理方法。
【請求項１６】
利用者の個人及び時間を管理する個人・時間管理システムにおいて、
利用者に関する機能情報を管理する一又は複数の機能管理サーバと、
前記機能管理サーバが接続されるネットワークにアクセスするアクセス者の個人を認証する第１の認証手段と、
前記ネットワークに接続される第２の認証手段とを備え、
前記第１の認証手段による認証に加えて第２の認証手段による認証により個人管理を行い、
前記ネットワークへのログイン及びログアウトの時刻情報、及び第２の認証手段の認証時に取得する時刻情報の論理判断に基づいて前記機能管理サーバが管理する利用者の時間情報を管理することを特徴とする、個人・時間管理システム。
【請求項１７】
前記ネットワークへのアクセスは、ネットワークへの接続に係わるログイン又はログアウト、ネットワーク接続中における処理の開始又は終了の少なくともいずれか１つであることを特徴とする、請求項１６に記載の個人・時間管理システム。
【請求項１８】
前記第２の認証手段は、ゲートの通過管理を行うゲート管理システムに接続されることを特徴とする、請求項１６又は１７に記載の個人・時間管理システム。
【請求項１９】
前記第２の認証手段は、ネットワークに接続される認証サーバ及び端末）を含み、ネットワークに既接続している既認証者からの認証に基づいて個人認証を行うことを特徴とする、請求項１６又は１７に記載の個人・時間管理システム。
【請求項２０】
前記時間管理は、ログイン時刻と、前記ゲート管理システムから取得するゲートイン時刻との論理判断により時間管理を行うことを特徴とする、請求項１８に記載の個人・時間管理システム。
【請求項２１】
前記機能管理サーバは、業務管理サーバ及び／又は勤怠管理サーバであることを特徴とする、請求項１６乃至２０のいずれかに記載の個人・時間管理システム。
【請求項２２】
前記業務管理サーバは、前記ログイン時刻を業務開始時刻とし、前記ログアウト時刻を業務終了時刻とすることを特徴とする、請求項２１に記載の個人・時間管理システム。
【請求項２３】
前記業務管理サーバは、ログイン時刻に基づいて業務スケジュールを変更することを特徴とする、請求項２１又は２２に記載の個人・時間管理システム。
【請求項２４】
前記業務管理サーバは、ログアウト時刻に業務スケジュールの未処理がある場合に報知することを特徴とする、請求項２１又は２２に記載の個人・時間管理システム。
【請求項２５】
前記業務管理サーバは、ネットワーク接続中において、ネットワークを介して行う処理の開始時刻又は終了時刻の少なくともいずれか１つに基づいて業務の時間管理を行うことを特徴とする、請求項２１に記載の個人・時間管理システム。
【請求項２６】
前記勤怠管理サーバは、前記ログイン時刻を業務開始時刻とし、前記ログアウト時刻を業務終了時刻として記録すると共に、
ログイン時刻とゲートの通過管理を行うゲート管理システムから取得するゲートイン時刻との論理判断、及び／又はログアウト時刻と前記ゲート管理システムから取得するゲートアウト時刻との論理判断により時間管理を行うことを特徴とする、請求項２１に記載の個人・時間管理システム。
【請求項２７】
利用者に対する情報報告の管理システムにおいて、
各種情報を所定の機能別に管理する機能管理サーバへのアクセスをガイドするメニューサーバを備え、
前記メニューサーバは、利用者の端末のメニュー画面に情報報告のタイトル表示を行うことを特徴とする情報報告管理システム。
【請求項２８】
前記情報報告は複数のグループに分類され、前記タイトル表示はグループ毎に表示されることを特徴とする請求項２７に記載の情報報告管理システム。
【請求項２９】
前記タイトル表示は、処理状態の表示を含むことを特徴とする請求項２７又は２８に記載の情報報告管理システム。
【発明の詳細な説明】
【０００１】
【発明の属する技術分野】
本発明は、個人・時間管理に関し、特にネットワークで接続される各種管理システムにおいて、利用者の個人管理、及び利用者の時間管理に関する。
【０００２】
【従来の技術】
従業員や利用者の本人を確認したり利用状況等を把握する、利用者の個人・時間を管理する一つとして、タイムレコーダを用いた勤怠管理がある。一般に、タイムレコーダによる勤怠管理では、紙媒体に打刻したり、磁気カードをカードリーダで読み取らせることにより出退勤時刻を記録して利用者の勤務状態を管理している。このタイムレコーダによる勤怠管理では、実際の勤務実態が管理データに正確に反映されないおそれがあるという問題がある。
【０００３】
一方、入退出を管理するシステムとして、磁気カードやＩＣカードあるいは非接触カードを用いて行うゲート管理システムや、ネットワークへのアクセスを管理するシステムとして、同様に磁気カードやＩＣカードあるいは非接触カードを用いて行うネットワーク管理システムが知られている。これらの管理システムにおいては、入退出時の時刻を記録したり、ネットワーク上のサーバに対してログインあるいはログアウトした時の時刻を記録している。
【０００４】
このゲート管理システムやネットワーク管理システムは、利用者の勤務実態の管理データの点では優れているものの、単に入退出時刻やアクセス時刻を記録するに過ぎず、勤怠管理等の個人・時間管理への利用は行われていない。
【０００５】
そこで、タイムレコーダにおける勤怠管理の持つ問題点を解決し、実際の勤務実態をより正確に管理するために、ゲート管理システムやネットワーク管理システムを利用する勤怠システムが提案されている。この勤怠システムでは、ゲート管理システムを主とし、ネットワーク管理システムを補充システムとすることにより、勤務職場の実体に即した勤怠管理を行うと共に、データの欠損や漏れを防いでいる。こうようなネットワーク勤怠システムとして、例えば、特許文献１がある。
【０００６】
【特許文献１】特開２００２−２０８０５０
【０００７】
【発明が解決しようとする課題】
しかしながら、各ゲート管理システムやネットワーク管理システムは、単に入退出時刻やネットワークへのアクセス時刻を出勤時刻や退勤表示時刻として記録するに過ぎず、ネットワークで接続される勤怠管理システムや業務管理システム等の各種管理システムについて、利用者の個人管理や利用者の時間管理を総合的に行うものではない。
【０００８】
また、前記ゲート管理システムとネットワーク管理システムを含むネットワーク管理システムは、主にゲート管理システムにより勤怠管理を行い、ネットワーク管理システムを従として用いて不足した情報を補充的に補足するものであるため、ゲート管理システムを通過した後においては、ネットワークにアクセスする際のネットワークに対するセキュリティーが必ずしも高いとはいえず、ネットワークに対するセキュリティーは主にネットワーク管理システムのみにより守られることになる。
【０００９】
また、メール機能等を利用して種々の報告を受けたり、情報を取得することが行われている。一般に、この情報報告の取得は、利用者がメール機能を選択し、メールサーバ等から情報報告を取り込んで画面上に表示することにより行っている。このようなシステムでは、利用者が情報報告の取得について意識し、情報報告の取得を行う画面を開かない限り、情報報告を取得する機会を得ることができない。このように、情報報告の取得を忘れるなど、情報報告の取得漏れがあった場合には、業務に支障が生じかねないことになるという問題がある。
【００１０】
そこで、個人・時間管理などの業務開始時や所定の動作開始時において、利用者による情報報告の取得漏れを防止し、情報報告に対する注意を喚起させ、利用者が情報報告の取得を行う画面を開くことなく、容易に情報報告を取得することが求められている。
【００１１】
そこで、本発明は、前記した課題を解決して、個人・時間管理において、時刻情報の取得を容易とすると共に、ネットワークへのアクセスのセキュリティーを高めることを目的とし、また、情報報告の取得漏れを防止し、情報報告に対する注意を喚起させ、利用者が情報報告の取得を行う画面を開くことなく、容易に情報報告を取得することを目的とする。
【００１２】
【課題を解決するための手段】
本発明は、利用者に関する情報に基づいて種々の機能で行う個人管理や時間管理を、この機能管理を行うサーバが接続されるネットワークへのアクセスに基づいて行うものであり、アクセス情報を利用することにより時刻情報の取得を容易とすると共に、複数のアクセス情報を用いて論理判断することによりネットワークへのアクセスのセキュリティーを高める。
【００１３】
本発明は、個人・時間管理方法による態様と個人・時間管理システムによる態様とすることができる。
【００１４】
本発明の個人・時間管理方法による態様では、利用者の個人及び時間を管理する個人・時間管理方法において、利用者に関する情報を所定に機能別に管理する一又は複数の機能管理サーバは、この機能管理サーバが管理する利用者の個人管理を、機能管理サーバが接続されるネットワークへのアクセス情報に基づいて行い、また、機能管理サーバが含む利用者の時間管理を、機能管理サーバが接続されているネットワークへアクセスするアクセス時刻に基づいて行う。
【００１５】
これにより、各機能管理サーバは、個人管理や時間管理を行うための情報を個別に取得する必要がなくなり、情報取得が容易となる。また、利用者にとっても、各機能管理サーバを利用する際には、ネットワークのアクセス時において個人管理や時間管理が完了しているため、最新の管理状態で各管理機能を利用することができる。
【００１６】
ネットワークへのアクセスは、ネットワークへ接続する際のログイン及び／又はログアウト、及び／又は既にネットワーク接続している間において行う所定の処理の開始及び／又は終了とすることができ、ログイン時刻あるいはログアウト時刻から出退社等の勤務状況を把握することができ、処理開始時刻あるいは処理終了時刻から各業務状況を把握することができる。
【００１７】
アクセス情報はアクセス時に行う認証情報であり、本発明の個人・時間管理では、ネットワークへのアクセス以外の個人認証情報との論理判断により個人管理を行い、これによりネットワークに対するセキュリティーを高めることができる。
【００１８】
個人認証情報は、例えば、ゲートの通過管理を行うゲート管理システムから取得する他、ネットワークを介して入力される既認証者による認証情報とすることができる。
【００１９】
ゲートの通過管理において取得される個人認証情報は、例えば時間管理に利用することができ、ログイン時刻とゲート管理システムから取得するゲートイン時刻との論理判断を行い、例えば、ログイン時刻がゲートイン時刻よりも後の時刻である場合に時刻関係が異常であると判断したり、ログイン時刻のデータのみが存在しゲートイン時刻のデータがない場合に認証関係が異常であると判断する。
【００２０】
本発明の個人・時間管理が管理する機能管理サーバとして、例えば業務管理サーバや勤怠管理サーバがある。
【００２１】
業務管理サーバは、ログイン時刻を業務開始時刻とし、ログアウト時刻を業務終了時刻とする他、ログイン時刻に基づいて業務スケジュールを変更したり、ログアウト時刻に業務スケジュールの未処理がある場合に報知するなど、ログアウト時刻やログアウト時刻に基づいて業務の時間管理を行う他、ネットワーク接続中において、ネットワークを介して行う処理の開始時刻及び／又は終了時刻に基づいて業務の時間管理を行うことができる。
【００２２】
また、勤怠管理サーバは、ログイン時刻を業務開始時刻とし、ログアウト時刻を業務終了時刻として記録すると共に、ログイン時刻とゲートの通過管理を行うゲート管理システムから取得するゲートイン時刻との論理判断、及び／又はログアウト時刻と前記ゲート管理システムから取得するゲートアウト時刻との論理判断により時間管理を行うことができる。
【００２３】
また、本発明の個人・時間管理システムによる態様は、本発明の個人・時間管理方法を実施するシステムであり、利用者の個人及び時間を管理する個人・時間管理システムにおいて、利用者に関する機能情報を管理する一又は複数の機能管理サーバと、機能管理サーバが接続されるネットワークにアクセスするアクセス者の個人を認証する第１の認証手段と、ネットワークに接続される第２の認証手段とを備えた構成とし、第１の認証手段による認証に加えて第２の認証手段による認証により個人管理を行い、ネットワークへのログイン及びログアウトの時刻情報、及び第２の認証手段の認証時に取得する時刻情報の論理判断に基づいて、機能管理サーバが管理する利用者の時間情報を管理する。このネットワークへのアクセスは、ネットワークへの接続に係わるログイン及び／又はログアウト、及び／又はネットワーク接続中における処理の開始及び／又は終了である。
【００２４】
第２の認証手段は、ゲートの通過管理を行うゲート管理システムに接続され、例えば、パスワードの入力、磁気カード、ＩＣカード、非接触カード等のカードの記録媒体に記録された認証データに基づいて認証を行う認証手段の他、指紋認証、虹彩認証、音声認証等各個人が個々に備える身体的特徴に基づいて認証する認証手段を用いることができる。これら各認証手段は、単一で使用することも組み合わせて使用することもできる。
【００２５】
また、第２の認証手段は、ネットワークに接続される認証サーバ及び端末を含む構成とし、ネットワークに既接続している既認証者からの認証に基づいて個人認証を行うことができる。この第２の認証手段によれば、ゲート管理システムを他の通過者と共に通過して、認証を受けていない利用者についても、ネットワークへのアクセスが可能となる。
【００２６】
時間管理は、前記したように、ログイン時刻とゲート管理システムから取得するゲートイン時刻との論理判断により時間管理を行う。
【００２７】
また、機能管理サーバは、業務管理サーバ及び／又は勤怠管理サーバとすることができる。なお、機能管理サーバは、この業務管理サーバや勤怠管理サーバに限らず他の機能管理を行うサーバとすることもできる。
【００２８】
業務管理サーバは、ログイン時刻を業務開始時刻とし、ログアウト時刻を業務終了時刻とする他、ログイン時刻に基づいて業務スケジュールを変更したり、ログアウト時刻に業務スケジュールの未処理がある場合に報知することができ、また、ネットワーク接続中において、ネットワークを介して行う処理の開始時刻及び／又は終了時刻に基づいて業務の時間管理を行うことができる。
【００２９】
また、勤怠管理サーバは、ログイン時刻を業務開始時刻とし、ログアウト時刻を業務終了時刻として記録すると共に、ログイン時刻とゲートの通過管理を行うゲート管理システムから取得するゲートイン時刻との論理判断、及び／又はログアウト時刻と前記ゲート管理システムから取得するゲートアウト時刻との論理判断により時間管理を行う。
【００３０】
これらの論理判断は、例えば、ログイン時刻とゲートイン時刻や、ログアウト時刻とゲートアウト時刻を比較して各時刻間の矛盾を判断することができる。
【００３１】
なお、本発明の個人・時間管理は、業務管理システムや勤怠管理システムなど、個人及び時間に係わる情報を含む任意の管理システムに適用することができる。
【００３２】
さらに、本発明によれば、個人・時間管理において、取り込んだログイン時刻やログアウト時刻は単に時刻情報として利用されるに限らず、勤怠管理システムや業務管理システム等の各種管理システムにおいて、管理内容の時間的関連性関係を論理的に判定する判断材用として使用することができる。
【００３３】
また、本発明の情報報告管理において管理方法の態様では、利用者に対する情報報告の管理方法において、各種情報を所定の機能別に管理する機能管理サーバへアクセスするためのガイドを利用者の端末のメニュー画面に表示し、このメニュー画面に少なくとも情報報告のタイトルを表示する。
【００３４】
また、本発明の情報報告管理の管理システムの態様では、各種情報を所定の機能別に管理する機能管理サーバへのアクセスをガイドするメニューサーバを備え、このメニューサーバは、利用者の端末のメニュー画面に情報報告のタイトル表示を行う。
【００３５】
これにより、利用者がメニュー画面を開く毎に情報報告のタイトルが表示されるため、利用者に対して情報報告への注意が喚起されると共に、情報報告処理を行う画面を開くことなく情報報告を表示させることができる。
【００３６】
情報報告は複数のグループに分類され、グループ毎にタイトル表示するようにすることもできる。また、タイトル表示は、情報報告の処理状態の表示を含むようにすることもでき、未処理件数等を知ることができる。
【００３７】
【発明の実施の形態】
以下、本発明の実施の形態について、図を用いて詳細に説明する。図１は本発明の個人・時間管理システムの構成を説明するためにブロック図である。
【００３８】
個人・時間管理システム１は利用者の個人及び時間を管理する管理システムであり、図１において、ネットワーク９には、利用者に関する機能情報を管理する機能管理サーバ３、ネットワーク９にアクセスするアクセス者の個人を認証するための認証サーバ２、認証されたアクセス者の端末５の表示手段に対して、各機能管理サーバ３が提供する機能を表示すると共に選択を行うメニューを表示させるメニューサーバ４、利用者が各機能管理サーバ３を利用するための端末５、個人・時間管理システム１により管理される領域内外において利用者の入退出を管理するゲート管理システム６が接続されている。
【００３９】
ここで、図１には、機能管理サーバ３として、例えば、利用者の勤務状況を管理する勤怠管理サーバ３Ａ、業務スケジュールや業務実績等を管理する業務管理サーバ３Ｂが示されている。機能管理サーバ３は、この勤怠管理サーバ３Ａや業務管理サーバ３Ｂに限らず、各利用者の勤怠記録をまとめた出勤状況を管理するサーバ、各種営業実績を管理する営業実績管理サーバ、受注状況を管理する受注サーバ、給与関係を管理する給与管理サーバ、利用者の福利厚生を管理する福利厚生管理サーバ、会議室や応接室等の設備を管理する設備管理サーバ、種々のお知らせを管理するお知らせ管理サーバ等、本発明の個人・時間管理システムが適用される使用態様に応じて行う任意に設定することができる。本発明の個人・時間管理システムは、これらの機能管理サーバ３における利用者の個人や時間を管理する。
【００４０】
認証サーバ２は、各端末５（５Ａ，５Ｂ，５Ｃ）から入力されたパスワードを認証データベース２ａにあらかじめ格納しておいた個人識別用の登録パスワードと比較し、認証を求める者が登録された利用者であるかを認証する他、各端末５（５Ａ，５Ｂ，５Ｃ）に接続される認証情報取得手段７（７Ａ，７Ｂ，７Ｃ）や、ゲート管理システム６に接続される認証情報取得手段８から取得される認証情報を、認証データベース２ａにあらかじめ登録しておいた各個人の認証元データと比較し、認証を求める者が登録された利用者であるかを認証する。
【００４１】
ここで、認証情報取得手段７（７Ａ，７Ｂ，７Ｃ）及び認証情報取得手段８は、磁気カード、ＩＣカード、非接触カード等の利用者が携帯するカードの記録媒体に記録された認証データに基づいて認証を行うカードリーダ、各個人の指紋を読み取って個人認証を行う指紋読み取り装置、各個人の虹彩を読み取って個人認証を行う虹彩読み取り装置、各個人の音声を取得して個人認証を行う音声読み取り装置など、各個人が固有に備える身体的特徴に基づいて個人認証を行う任意の認証手段を用いることができる。
【００４２】
また、各端末５は、ネットワーク９にＬＡＮ等により直接に接続されたり、インターネット等の通信網９ｂを介して接続され、ログイン操作によりネットワーク９に接続して機能管理サーバ３等を利用する。なお、ネットワーク９との信号接続を切り離す場合には、ログアウト操作を行う。
【００４３】
また、ゲート管理システム６は、管理領域の内外の通過状態を管理するシステムであり、認証情報取得手段８により開閉を管理し、予め登録された利用者のみの通過を許容する。
【００４４】
認証サーバ２は、認証情報取得手段７，８からの認証情報に基づいて、利用者の認証処理を行う。
【００４５】
また、ネットワーク９は、ＬＡＮ９ａ等の閉じられた通信網も他、インターネット９ｂを用いることもできる。このインターネット９ｂを介して接続される端末５Ａを利用する場合には、在宅勤務や出張先からネットワーク９へのアクセスに適用することができる。
【００４６】
また、端末５Ｂ，５Ｃ及び認証情報取得手段７Ｂ，７Ｃは、各利用者が自身の個人を認証する場合に使用する他、他者の個人認証を認証する場合にも使用することができる。
【００４７】
本発明の個人・時間管理システムは、ネットワークへアクセスする際に行うログイン操作及びログアウト操作において、そのアクセス時におけるログイン時刻あるいはログアウト時刻の時刻情報を取得し、アクセス者の個人情報と取得した時刻情報を機能管理サーバに送り、各機能管理サーバにおける個人・時間管理に利用する。
【００４８】
図２は、個人・時間管理システムによるログイン時刻情報、ログイン時刻情報の取得及び送信を説明するための図であり、各端末に表示される画面表示と共に示している。
【００４９】
図２（ａ）は、各端末５からネットワーク９に対してアクセスしたとき、メニューサーバ４により各端末５に表示される最初の表示画面の一例である。アクセス時には、はじめに個人認証画面が表示される。この個人認証画面は、アクセス要求者が、ネットワークがアクセスを認証する利用者であるかを認証するための画面であり、例えば、社員番号を入力する窓１０ａ、ログインを要求するボタン表示１０ｂ、パスワードの他の認証を行うに要する条件を表示する表示部分１０ｃ等が表示される。
【００５０】
窓１０ａに社員番号を入力し、ボタン表示１０ｂをマウス等のクリックで操作すると、社員番号の照合が行われる。社員番号が照合されると、表示部分１０ｃが表示され、認証情報の取得が求められる。表示部分１０ｃには、例えば、指紋センサに指を置く旨の指示が表示される。
【００５１】
パスワードの照合と認証情報の取得により個人認証が確認されると、ログイン処理が行われ、次にメニュー画面が表示される。このとき、図示しないクロックからログイン時刻を取得し、ログイン時刻情報を各種機能管理システムに送る。クロック機能は、認証サーバ２やメニューサーバ４等の任意のサーバに設けることも、あるいは単独でクロック装置をネットワークに接続することもできる。
【００５２】
図２（ｂ）はメニュー画面の一例を示しており、例えば、業務管理システム１１ａ，勤怠管理システム１１ｂ等の機能管理システムの選択ボタン表示や、各種のお知らせの選択ボタン表示１１ｃが表示される。また、この画面には、ログアウトの選択を行うボタン表示１１ｄが表示される。なお、このメニュー画面は一例であって、他の表示内容とすることもできる。
【００５３】
図２（ｂ）のメニュー画面において、ログアウトの選択ボタン１１ｄがクリックされた場合には、同じくクロックからログアウト時刻を取得し、ログアウト時刻情報を各種機能管理システムに送る。
【００５４】
図２（ｂ）のメニュー画面において機能管理システムを選択すると、選択された機能管理システムの処理画面が表示される。図２（ｃ）は処理画面の一例を示しており、画面１２ａ（図２（ｃ）では明示していない）には各処理の表示がされ、例えばバー部分にはログアウト表示１２ｂや処理を終了する「閉じる」の表示１２ｃが表示される。処理画面において、ログアウト表示１２ｂをクリックされた場合には、同じくクロックからログアウト時刻を取得し、ログアウト時刻情報を各種機能管理システムに送る。
【００５５】
なお、図２に示す個人認証画面１０、メニュー画面１１，処理画面１２は、機能を説明するために模式的の示した一例であり、他の表示内容やレイアウトは、各画面の機能に基づいて任意に設定することができる。
【００５６】
ログイン時の処理をログイン時の処理を図３、４のフローチャートを用いて説明する。
【００５７】
はじめに、図３のフローチャートを用いてログイン時の処理を説明する。このログイン時の処理は、例えばメニューサーバ４により行うことができるが、認証サーバ２等の他のサーバにより行うようにしても良い。
【００５８】
端末からログインの要求が出されると、端末の表示画面に個人認証画面（図２（ａ））を表示する（ステップＳ１）。個人認証画面の指示により、利用者にパスワードや指紋等の個人認証情報を入力させることにより個人認証情報を取得する（ステップＳ２）。
【００５９】
認証サーバ２は、取得した個人認証情報と、認証データベース２ａに予め登録し格納しておいた登録個人認証情報とを比較して個人認証を行う。比較により個人認証が確認された場合には（ステップＳ３）、ゲート通過情報を取得する。このゲート通過情報は、ネットワークにアクセス可能な領域への入退出を管理するゲート管理システム６に設けられる認証情報取得手段８から得ることができ、ゲート管理システム６を通過した利用者の個人情報を含んでいる（ステップＳ４）。
【００６０】
ゲート通過情報により、利用者が正規にゲートを通過していることが確認された場合には、ログイン処理を行うと共に、図示しないクロックからログイン時刻を取得し（ステップＳ５）、取得したログイン時刻を各種管理システムに送信し（ステップＳ６）、メニュー画面（図２（ｂ））を端末画面に表示する（ステップＳ８）。
【００６１】
ステップＳ３の認証の可否判定の工程において、個人認証が確認されたなかった場合には、否と判断された回数を積算し、予め設定しておいた回数と比較する。否の積算回数が設定回数以下である場合には、前記ステップＳ２に戻って処理を繰り返す。否の積算回数が設定回数を越えた場合には、ログイン処理を終了する（ステップＳ７）。
【００６２】
また、前記ステップＳ５のゲート通過確認の工程認証２に、利用者のゲート通過が確認されなかった場合には、既に認証を得てログインが完了している者による認証を得る。この工程では、認証を求める他者の端末画面に認証を承認する画面表示がされる（図示していない）（ステップＳ１０）。
【００６３】
認証サーバは他者の認証の有効性を判定し、認証が有効であると判断した場合には、ステップＳ６以降の処理を行ってログイン処理を行う。これに対して、認証が無効であると判断した場合には、ログイン処理を終了する（ステップＳ１１）。
【００６４】
次に、図４のフローチャートを用いてログアウト時の処理を説明する。このログアウト時の処理は、ログイン時の処理と同様に、メニューサーバ４により行うことができるが、認証サーバ２等の他のサーバにより行うようにしても良い。
【００６５】
端末からログアウトの要求が出されると（ステップＳ２１）、図示しないクロックからログアウト時刻を取得し（ステップＳ２２）、取得したログアウト時刻を各種管理システムに送信し（ステップＳ２３）、ログアウト処理を行う（ステップＳ２４）。
【００６６】
次に、機能管理システムにおいて行うログイン時刻、ログアウト時刻の取得処理について、勤怠管理と業務管理を例にして説明する。
【００６７】
はじめに、図５のフローチャートと図６のデータ例及び表示例を用いて、勤怠管理システムにおけるログイン時刻、ログアウト時刻の取得処理を説明する。
【００６８】
勤怠管理サーバ３Ａは、ログイン時において、メニューサーバあるいは認証サーバ等のログイン処理を行うサーバから、ログイン時刻情報を取得して、勤怠管理データに記録すると共に（ステップＳ３１）、ゲート管理システム６に記録されているゲートイン時刻情報を取得し（ステップＳ３２）、取得したログイン時刻情報とゲートイン時刻情報を用いて、両者の時刻の前後関係に矛盾がないかを判定する（ステップＳ３３）。
【００６９】
ステップＳ３３の判定において、ログイン時刻情報とゲートイン時刻情報に矛盾がある場合には、ログインあるいはゲートインになんらかの問題があると判断して、勤怠管理データに記録する他、システム全体を管理する管理サーバ（図示していない）に通知し、必要があれば画面に表示する（ステップＳ３７）。
【００７０】
また、ログアウト時において、メニューサーバあるいは認証サーバ等のログイン処理を行うサーバから、ログアウト時刻情報を取得して、勤怠管理データに記録する（ステップＳ３４）。その後、ゲート管理システム６からゲートアウト時刻情報を取得し（ステップＳ３５）、取得したログイン時刻情報とゲートイン時刻情報を用いて、両者の時刻の前後関係に矛盾がないかを判定する（ステップＳ３６）。
【００７１】
ステップＳ３６の判定において、ログアウト時刻情報とゲートアウト時刻情報に矛盾がある場合には、ログアウトあるいはゲートアウトになんらかの問題があると判断して、勤怠管理データに記録する他、システム全体を管理する管理サーバ（図示していない）に通知する（ステップＳ３７）。
【００７２】
図６（ａ）は、勤怠管理データの一例の概略を示している。勤怠管理データは、勤怠情報として、例えばログイン時刻、ログアウト時刻、残業時間、月総残業時間、申請情報、遅効時間等の各種データ項目を、各個人毎に備える。また、ゲートイン時刻やゲートアウト時刻を備えるようにしてもよい。ログイン時刻及びログアウト時刻は、ネットワークへのログイン処理やログアウト処理時に取得して得た時刻情報を用いて記録する。
【００７３】
残業時間は、ログアウト時刻と、通常の勤務終了時刻あるいはその日に設定されている勤務終了時刻と、ログアウト時刻とから算出することができる。また、遅刻時間は、通常の勤務時間帯あるいはその日に設定されている勤務時間帯とログイン時刻とを比較することで算出することができる。
【００７４】
また、図６（ｂ）は勤怠管理表示の一例の概略を示している。勤怠管理表示は、勤怠管理データに記録される情報に基づいて表示することができ、例えば、日付、勤務開始時刻、勤怠終了時刻、総残業時間、深夜勤務、申請、ログイン時刻、ログアウト時刻等の表示項目を備える。
【００７５】
勤怠管理表示に表示されるログイン時刻やログアウト時刻は、その日の勤務開始時刻及び勤務終了時刻として記録される。
【００７６】
なお、勤務開始時刻及び勤怠終了時刻は、通常の勤務開始時刻や勤務終了時刻あるいはその日に申請等で設定されている勤務開始時刻や勤務終了時刻に基づいて記録あるいは表示される。
【００７７】
また、ログイン時刻とゲートイン時刻との間や、ログアウト時刻とゲートアウト時刻との間において、時刻の前後関係に矛盾がある場合には、勤怠管理データや勤怠表示に記録あるいは表示するようにしてもよい。表示は、ログイン時刻やログアウト時刻を通常と異なる表示状態にしたり、マーク（図示していない）により行うようにしてもよい。
【００７８】
なお、図６において、申請部分は、残業申請、遅刻申請、休暇申請等の各種申請を記録、あるいは表示する。
【００７９】
次に、図７のフローチャートと図８のデータ例、図９の表示例を用いて、業務管理システムにおけるログイン時刻、ログアウト時刻の取得処理を説明する。業務管理サーバ３Ｂは、各個人毎や業務やプロジェクト毎に、予定スケジュールや実績状況を管理する。
【００８０】
業務管理サーバ３Ｂは、ログイン時において、メニューサーバあるいは認証サーバ等のログイン処理を行うサーバから、ログイン時刻情報を取得して、勤怠管理データに記録する（ステップＳ４１）。取得したログイン時刻と予定スケジュールとを比較し、ログイン時刻と時間的に重なるスケジュールがあるか否かを判定する（ステップＳ４２）。
【００８１】
ログイン時刻と時間的に重なるスケジュールがある場合には、スケジュールが変更可能であるかを判定し（ステップＳ４３）、変更可能な場合には、スケジュールを変更する（ステップＳ４４）。また、ステップＳ４２においてログイン時刻と時間的に重なるスケジュールがない場合や、ステップＳ４３において変更が付加である場合には、メニュー画面を表示する（ステップＳ４５）。
【００８２】
メニュー画面において、業務管理システムが選択された場合には、業務管理を表示し（ステップＳ４６）、スケジュールに変更がある場合にはスケジュール変更を表示画面に表示して通知を行う（ステップＳ４７）。
【００８３】
また、ログアウト時において、メニューサーバあるいは認証サーバ等のログイン処理を行うサーバから、ログアウト時刻情報を取得して、業務管理データに記録する（ステップＳ４８）。
【００８４】
取得したログアウト時刻と予定スケジュールとを比較し、ログアウト時刻と時間的に重なるスケジュールがあるか否かを判定し（ステップＳ４９）、ログアウト時刻と時間的に重なるスケジュールがある場合には、スケジュールが残っていることの注意を喚起する（ステップＳ５０）。
【００８５】
図８は、業務管理データの一例の概略を示し、スケジュールを変更する例を示している。業務管理データは、例えば、個人毎に、日付データ、スケジュールデータ、実績データ等のデータ項目を備える。スケジュールデータには予め時刻や処理内容等を設定することができる。また、図９はその表示例である。
【００８６】
図８（ａ）はログイン前のデータ状態を示し、図８（ｂ）はログイン時におけるスケジュール変更のデータ状態を示している。例えば、図８（ａ）に示すように、９：３０から作業Ａが設定されているスケジュールにおいて、ログイン時刻が１０：３０である場合（図９（ａ））には、図８（ｂ），図９（ｂ）に示すように、作業Ａを移動してスケジュールを変更する。なお、このとき、会議は変更が不可で、作業Ａ，Ｂは変更が可能であるとする。
【００８７】
なお、図８（ｃ），図９（ｃ）は、設定されたスケジュールに対して実際に実行された実績データ及び表示例を示している。なお、ここでは、実績データを形成するためのデータが取得されるものとする。
【００８８】
次に、ログイン中における時刻情報の取得について、図１０を用いて説明する。
【００８９】
図１０は、個人・時間管理システムによるログイン中の処理開始時刻情報、処理終了時刻情報の取得及び送信を説明するための図であり、各端末に表示される画面表示と共に示している。
【００９０】
図１０（ａ）は、図２（ｂ）と同様のメニュー画面を示している。このメニュー画面において機能管理システムを選択すると、選択された機能管理システムに対応する処理選択画面が表示される。図１０（ｂ）は処理選択画面の一例を示しており、例えば、処理Ａ〜処理Ｄの各処理を選択するためのボタン表示１３ａ〜１３ｃ、及びログアウトを選択するためのボタン表示１３ｄが表示されている。なお、メニュー画面において、ログアウトが選択されると、図示しないクロックからログアウト時刻情報を取得し、ログアウト時刻情報を各種機能管理システムに送る。
【００９１】
処理選択画面において実行する処理が選択されると、選択された処理の処理画面（図１０（ｃ））が表示される。この処理選択において、図示しないクロックから処理開始時刻情報を取得し、処理開始時刻情報を各種機能管理システムに送る。
【００９２】
図１０（ｃ）の処理画面において、「閉じる」の選択ボタンがクリックされて処理終了が選択されると、図１０（ｄ）に示すように処理選択画面に戻る。この処理選択において、図示しないクロックから処理終了時刻情報を取得し、処理終了時刻情報を各種機能管理システムに送る。
【００９３】
なお、図１０（ｃ）の処理画面において、ログアウトが選択されると、図示しないクロックからログアウト時刻情報を取得し、ログアウト時刻情報を各種機能管理システムに送る。
【００９４】
図１１は、ログイン中の時刻情報の取得を説明するためのフローチャートである。ログイン中において、所定処理の開始が要求されると（ステップＳ５１）、処理開始時刻情報をクロックから取得し（ステップＳ５２）、取得した処理開始時刻情報を業務管理システムに送信し（ステップＳ５３）、所定処理を開始する（ステップＳ５４）。
【００９５】
その後、所定処理の終了が要求されると（ステップＳ５５）、処理終了時刻情報をクロックから取得し（ステップＳ５６）、取得した処理終了時刻情報を業務管理システムに送信し（ステップＳ５７）、所定処理を終了する（ステップＳ５８）。
【００９６】
本発明の実施の形態によれば、勤怠管理において、ゲートイン時刻とログイン時刻との時刻の前後関係、ゲートアウト時刻とログアウト時刻との時刻の前後関係を判定することにより、ネットワークのアクセス管理を行うことができる。
【００９７】
本発明の実施の形態によれば、業務管理において、ゲートイン時刻とスケジュールと比較することによりスケジュールの変更を行うことができ、また、ゲートアウト時刻とスケジュールと比較することによりスケジュールの実行漏れを防ぐことができる。
【００９８】
次に、本発明の情報報告管理について説明する。図１において、情報報告は例えば、機能管理サーバ３の一つのサーバ（図１では明示していない）、あるいはネットワーク９に接続される独立したサーバにより（図１では示していない）書き込み及び読み出し等のデータ管理が行われる。
【００９９】
本発明の情報報告管理では、情報報告の入出力を管理するサーバへのアクセスを、サーバが提供する情報報告のトップページからアクセスする他に、利用者の端末５側に表示されるメニュー画面上に情報報告のタイトルを表示してメニュー画面からアクセスすることにより、情報報告の取得漏れを防止し、情報報告に対する注意を喚起させ、利用者が情報報告の取得を行う画面を開くことなく、容易に情報報告を取得するようにする。
【０１００】
この情報報告のメニュー画面への表示は、例えばメニューサーバ４により行うことができる。
【０１０１】
図１２は、本発明の情報報告管理の動作を説明するためのフローチャートであり、図１３〜図１５は表示例である。
【０１０２】
前記した個人認証処理を行ってシステムへのアクセス者を特定し（ステップＳ６１）、特定されたアクセス者を受信者として設定されている情報報告を読み出す。なお、情報報告は、各端末から入力され前記したサーバが管理する記録手段に記録されている。情報報告は受信者毎に読み出すことができるよう定められている。本発明の情報報告管理では、後述するように、情報報告の情報内容に応じて受信者があらかじめ定めれており、受信者は定められた所定の情報報告のみを閲覧することができる（ステップＳ６２）。
【０１０３】
図１３はメニュー画面の一例を示している。メニュー画面１１には、前記した業務管理システム１１ａ，勤怠管理システム１１ｂ等の機能管理システムの選択ボタン表示や、各種のお知らせの選択ボタン表示１１ｃが表示されており、さらに、情報報告のタイトル表示１１ｅ、及び情報報告の未処理総件数の表示１１ｆが表示される。
【０１０４】
なお、未処理の案件がない場合には、未処理総件数の表示１１ｆの「０件」を表示する他、未処理総件数の表示１１ｆ自体を表示しないようにしてもよい。
【０１０５】
未処理総件数の表示１１ｆは、情報報告の内で処理されていない未処理件数を読み出すことにより表示される。これにより、受信者は、メニュー画面を開くだけで、タイトル表示１１ｅから情報報告を意識すると共に、未処理件総数の表示１１ｆからその未処理件数を確認することができる（ステップＳ６３）。
【０１０６】
このメニュー画面上において、情報報告の表示１１ｅをクリックすると（ステップＳ６４）、情報報告のトップページへの移動が行われる（ステップＳ６８）。また、メニュー画面上において、情報報告の未処理総件数の表示１１ｆをクリックすると（ステップＳ６４）、情報報告の受信一覧表が表示される。
【０１０７】
図１４は受信一覧表の一例を示している。この受信一覧表には、情報報告の件名が分類、報告書Ｎｏ．報告時刻の他、重要性を表すフラグや緊急性を表すフラグ等の各種属性が付されている（ステップＳ６５）。
【０１０８】
表示された受信一覧表から報告書を選択することにより（ステップＳ６６）、報告書を表示することができる。図１５は報告書の一例を示している。報告書の表示から受信一覧表に戻り、別の報告書を選択することにより、他の報告書を見ることができる（ステップＳ６７）。
【０１０９】
なお、ステップＳ６８により情報報告のトップページに移動した場合には、情報報告のトップページから情報報告の受信一覧表を表示させることもできる。
【０１１０】
また、情報報告は、複数の分類に区分して管理することができる。この場合には、メニュー画面１１上において、情報報告の表示１１ｅや情報報告の未処理総件数の表示１１ｆに加えて、各分類毎に情報報告の未処理件数の表示１１ｇを表示するようにしてもよい。図１３（ｂ）に示す例では、報告Ａ，報告Ｂ，報告Ｃの３種類の情報報告の表示１１ｇが未処理件数と共に表示されている。
【０１１１】
なお、この情報報告の表示１１ｇは、例えば、情報報告の表示１１ｅをクリックすることで表示させるようにすることができる。
【０１１２】
次に、図１６〜図１９を用いて、本発明の情報報告管理の他の形態について説明する。本発明の情報報告管理では、報告される情報とこの情報を受信する受信者との間の関係をあらかじめ定めておき、特定の情報報告は特定の受信者に送られる様に設定することができる。なお、受信者は複数とすることができる。
【０１１３】
図１６は、この情報報告と受信者との関係を説明するための図、及び未処理件数を示す図である。図１６（ａ）では、簡略化するために、３種類の情報Ｐ，Ｑ，Ｒと４人の受信者Ａ，Ｂ，Ｃ，Ｄと関係を例にして説明するが、情報報告の種類の数、及び受信者の数は任意とすることができる。この例では、情報報告Ｐは受信者Ａ，Ｂとのみ関連して設定され、情報報告Ｑは受信者Ａ，Ｃとのみ関連して設定され、情報報告Ｒは受信者Ａ，Ｂ，Ｄとのみ関連して設定され、各受信者は設定された情報報告のみ、例えば、受信者Ａは情報報告Ｐ，Ｑ，Ｒのみを得ることができ、受信者Ｂは情報報告Ｐ，Ｒのみを得ることができ、受信者Ｃは情報報告Ｑのみを得ることができ、受信者Ｄは情報報告Ｒのみを得ることができる。
【０１１４】
また、各情報報告について未処理件数をそれぞれ、ｐ件（情報報告Ｐ），ｑ件（情報報告Ｑ），ｒ件（情報報告Ｒ）としたとき、受信者は、各受信者が閲覧可能な各情報報告の未処理件数をメニュー画面上で確認することができる。
【０１１５】
例えば、図１７（ａ）において、受信者Ａは、メニュー画面１１に表示される情報報告の未処理総件数の表示１１ｆをクリックすることにより、図１７（ｂ）に示すように、各情報報告Ｐ，Ｑ，Ｒの未処理件数の表示１１ｇを表示させ、それぞれｐ件，ｑ件，ｒ件の未処理件数があることを確認することができる。なお、情報報告の未処理総件数の表示１１ｆは、各情報報告Ｐ，Ｑ，Ｒの未処理件数の表示１１ｇの総和となる。
【０１１６】
同様に、受信者Ｂ，Ｃ，Ｄについても、各受信者にあらかじめ設定された情報報告のみをメニュー画面に表示させる。図１８（ａ）は受信者Ｂのメニュー画面例であり、表示１１ｆには受信者Ｂに関連する情報報告の未処理総件数（ｂ件）が表示され、表示ｇには各情報報告Ｐ，Ｒの未処理件数（ｐ件），（ｒ件）が表示される。図１８（ｂ）は受信者Ｃのメニュー画面例であり、表示１１ｆには受信者Ｃに関連する情報報告の未処理総件数（ｃ件）が表示され、表示ｇには情報報告Ｑの未処理件数（ｑ件）が表示される。また、図１８（ｃ）は受信者Ｄのメニュー画面例であり、表示１１ｆには受信者Ｄに関連する情報報告の未処理総件数（ｄ件）が表示され、表示ｇには情報報告Ｒの未処理件数（ｒ件）が表示される。
【０１１７】
なお、この画面からは、各未処理件数の表示１１ｇをクリックすることにより、選択した分類の情報報告（例えば、図１５参照）を閲覧することができる。
【０１１８】
ここで、メニュー画面上に表示される情報報告は、各受信者毎にあらかじめ情報報告のみとすることができるため、閲覧を要さない情報報告については省略することができ、表示画面の誤認を防ぐことができる。
【０１１９】
なお、分類で区別した各情報報告について未処理件数を表示させる場合には、図１９に示すフローチャートに従って行うことができ、情報報告の表示１１ｆをクリックすることにより（ステップＳ７５）、各情報報告の未処理件数を表示し（ステップＳ７６）、その中から閲覧したい情報報告をクリックして選択し（ステップＳ７７）、受信一覧を表示させる（ステップＳ７８）。
【０１２０】
図１９のフローチャートにおいて、ステップＳ７６、７７が、各情報報告について未処理件数を表示させる行程であり、その他の行程は前記図１２に示すフローチャートと同様とすることができるため、共通する行程の説明は省略する。
【０１２１】
【発明の効果】
本発明の個人・時間管理方法、個人・時間管理システムによれば、個人・時間管理において、時刻情報の取得を容易とすると共に、ネットワークへのアクセスのセキュリティーを高めることができる。
【０１２２】
また、情報報告の取得漏れを防止し、情報報告に対する注意を喚起させ、利用者が情報報告の取得を行う画面を開くことなく、容易に情報報告を取得することができる。
【図面の簡単な説明】
【図１】本発明の個人・時間情報管理システムの構成を説明するためにブロック図である。
【図２】本発明の個人・時間管理システムによるログイン時刻情報、ログイン時刻情報の取得及び送信を説明するための図である。
【図３】本発明のログイン時の処理を説明するためのフローチャートである。
【図４】本発明のログアウト時の処理を説明するためのフローチャートである。
【図５】本発明の勤怠管理システムにおけるログイン時刻、ログアウト時刻の取得処理を説明するためのフローチャートである。
【図６】本発明の勤怠管理システムにおけるログイン時刻、ログアウト時刻の取得処理を説明するためのデータ例及び表示例である。
【図７】本発明の業務管理システムにおけるログイン時刻、ログアウト時刻の取得処理を説明するためのフローチャートである。
【図８】本発明の業務管理システムにおけるログイン時刻、ログアウト時刻の取得処理を説明するためのデータ例である。
【図９】本発明の業務管理システムにおけるログイン時刻、ログアウト時刻の取得処理を説明するための表示例である。
【図１０】個人・時間管理システムによるログイン中の処理開始時刻情報、処理終了時刻情報の取得及び送信を説明するための図である。
【図１１】ログイン中の時刻情報の取得を説明するためのフローチャートである。
【図１２】本発明の情報報告管理の動作を説明するためのフローチャートである。
【図１３】本発明のメニュー画面の一例を示す図である。
【図１４】本発明の受信一覧表の一例を示す図である。
【図１５】本発明の報告書の一例を示す図である。
【図１６】本発明の情報報告と受信者との関係を説明するための図、及び未処理件数を示す図である。
【図１７】本発明のメニュー画面の一例を示す図である。
【図１８】本発明のメニュー画面の一例を示す図である。
【図１９】本発明の情報報告管理の動作を説明するためのフローチャートである。
【符号の説明】
１  個人・時間管理システム
２  認証サーバ
２ａ  認証データベース
３  機能管理サーバ
３Ａ  勤怠管理サーバ
３Ｂ  業務管理サーバ
４  メニューサーバ
５，５Ａ〜５Ｃ  端末
６  ゲート管理システム
７，７Ａ〜７Ｃ，８  認証情報取得手段
９，９ａ，９ｂ  ネットワーク
１０  個人認証画面
１０ａ  窓
１０ｂ  ログイン用選択ボタン表示
１０ｃ  認証指示部
１１  メニュー画面
１１ａ〜１１ｄ  選択ボタン表示
１１ｅ  情報報告表示
１１ｆ  情報報告の未処理総件数表示
１１ｇ  情報報告の未処理件数表示
１２  処理画面
１２ａ  表示画面
１２ｂ  ログアウト表示
１２ｃ  選択ボタン表示
【図１】
2004177986.tif 000002
【図２】
2004177986.tif 000003
【図３】
2004177986.tif 000004
【図４】
2004177986.tif 000005
【図５】
2004177986.tif 000006
【図６】
2004177986.tif 000007
【図７】
2004177986.tif 000008
【図８】
2004177986.tif 000009
【図９】
2004177986.tif 000010
【図１０】
2004177986.tif 000011
【図１１】
2004177986.tif 000012
【図１２】
2004177986.tif 000013
【図１３】
2004177986.tif 000014
【図１４】
2004177986.tif 000015
【図１５】
2004177986.tif 000016
【図１６】
2004177986.tif 000017
【図１７】
2004177986.tif 000018
【図１８】
2004177986.tif 000019
【図１９】
2004177986.tif 000020